(57)【特許請求の範囲】
【請求項１】
使用時に乳幼児と左右から当接するように設けられた左右一対の第一サポートパッドを有する座部と、
前記座部の上端縁に連結され上方へと延在する背部と、
上下左右方向に延在し、その上端縁が前記座部と前記背部との境界部分に連結され、下端縁が自由端となるように取り付けられており、使用時に乳幼児と左右から当接するように設けられた左右一対の第二サポートパッドを有するフラップ部と、を備える、育児器具の座席マット。
【請求項２】
前記左右一対の第二サポートパッドは、前記フラップ部が前記座部と重なるように配置された場合に、前記左右一対の第一サポートパッドの上に重なるように配置される、請求項１に記載の育児器具の座席マット。
【請求項３】
前記左右一対の第二サポートパッドの間の間隔が、前記左右一対の第一サポートパッドの間の間隔と略同じ、またはそれよりも小さくなるように、前記第二サポートパッドが配置される、請求項１または２に記載の育児器具の座席マット。
【請求項４】
前記左右一対の第二サポートパッドは、前記フラップ部の上方側から下方側に向かうにつれてその間の間隔が大きくなるように略ハの字状に配置されている、請求項１〜３のいずれかに記載の育児器具の座席マット。
【請求項５】
前記左右一対の第一サポートパッドは、前記座部の上方側から下方側に向かうにつれてその間の間隔が大きくなるように略ハの字状に配置されている、請求項１〜４のいずれかに記載の育児器具の座席マット。
【請求項６】
前記座部および前記フラップ部には、左右方向に延在する股ベルト孔が、それぞれ設けられており、
前記座部および前記フラップ部に設けられた前記股ベルト孔は、前記フラップ部が前記座部と重なるように配置された場合に、互いに略重なるように配置されている、請求項１〜５のいずれかに記載の育児器具の座席マット。
【請求項７】
前記背部および前記フラップ部には、上下方向に延在する腰ベルト孔が、左右一対となるようにそれぞれ設けられており、
前記背部および前記フラップ部に設けられた前記左右一対の腰ベルト孔は、前記フラップ部が前記背部と重なるように配置された場合に、互いに略重なるように配置されている、請求項１〜６のいずれかに記載の育児器具の座席マット。
【発明の詳細な説明】
【技術分野】
【０００１】
本発明は、育児器具の座席マットに関するものであり、特に、リクライニング可能な育児器具に適用される育児器具の座席マットに関するものである。
【背景技術】
【０００２】
乳母車やチャイルドシート等の育児器具の座席には、乳幼児の適正な姿勢の維持や快適性の向上のために、クッション材によって構成されたサポートパッドを有する座席マットが、広く用いられている。このような育児器具の座席マットに関する先行技術として、特開２００７−９９２０１号公報（特許文献１）が、開示されている。
【０００３】
特許文献１に記載の育児器具の座席マットは、座席マット本体上に固定的に取り付けられたサポートパッド部を備える。このサポートパッド部は、乳幼児の頭部に配置される頭部サポートパッドと、乳幼児の腰部に配置される左右一対の腰部サポートパッドと、乳幼児の臀部に配置される臀部サポートパッドとから構成されている。このサポートパッド部によって、座席マット本体に対する各パッド部品の位置ずれを防ぐことができるため、乳幼児を最適な姿勢で支持することができるとしている。
【先行技術文献】
【特許文献】
【０００４】
【特許文献１】特開２００７−９９２０１号公報
【発明の概要】
【発明が解決しようとする課題】
【０００５】
ベッド状態とした育児器具に乳幼児を寝かせているときには、乳幼児は、物を取ろうとしたり、寝返りを打ったり、様々な動作を行う。このときに乳幼児の体を保持するものが何もない場合、乳幼児が無理な姿勢をとり、乳幼児の腰部や腹部が屈曲して呼吸が妨げられる恐れが生じる。このようなことを防止するために、特許文献１に記載の育児器具の座席マットのように、乳幼児の頭部や腰部を保持するためのサポート用の部材が必要となる。
【０００６】
しかしながら、特許文献１に記載の座席マットは、乳幼児の姿勢を保持するサポートパッド部を乳幼児の成長に応じて配置を調整することができない。すなわち、特許文献１に記載の座席マットは、上記したように、サポートパッド部を構成する頭部サポートパッド、腰部サポートパッド、および臀部サポートパッドが、全て座席マット本体に固定されている。したがって、特許文献１に記載の座席マットを、体の小さな乳児から、ある程度体の大きくなった幼児に至るまで一貫して使用することは不可能であった。
【０００７】
本発明の目的は、育児器具を主にベッド状態にして用いる小さな乳児から、主に椅子状態にして用いる幼児まで一貫して使用することが可能であって、乳幼児の姿勢を適正に保持することができるとともに、使用時において乳幼児の快適性を損ねることがない座席マットを提供することである。
【課題を解決するための手段】
【０００８】
本発明に係る育児器具の座席マットは、使用時に乳幼児と左右から当接するように設けられた左右一対の第一サポートパッドを有する座部と、座部の上端縁に連結され上方へと延在する背部と、上下左右方向に延在し、その上端縁が座部と背部との境界部分に連結され、下端縁が自由端となるように取り付けられており、使用時に乳幼児と左右から当接するように設けられた左右一対の第二サポートパッドを有するフラップ部とを備える。
【０００９】
この構成によれば、ベッド状態の育児器具に適用する場合、フラップ部を座部と重ねるように配置させて用いることにより、上記第一および第二サポートパッドによって、仰臥する乳幼児の腰部を左右から保持することができる。これにより、乳幼児が寝返りを打つなどして腰部が屈曲し、呼吸が妨げられてしまうことを防ぐことができる。また、椅子状態の育児器具に適用する場合、フラップ部を背部と重ねるように配置させて用いることにより、第一サポートパッドによって着座する乳幼児の臀部を保持することができ、且つ、第二サポートパッドによって、着座する乳幼児の腰部を保持することができる。すなわち、本発明に係る座席マットは、育児器具をベッド状態にして用いることが多い年齢の小さな乳児から、育児器具を椅子状態にして用いることが多くなる幼児まで一貫して使用することができ、且つ、いずれの使用形態においても乳幼児の姿勢を適正に保持することが可能である。
【００１０】
好ましくは、左右一対の第二サポートパッドは、フラップ部が座部と重なるように配置された場合に、左右一対の第一サポートパッドの上に重なるように配置される。この構成によれば、フラップ部を座部に重ねてその上に乳幼児を寝かせると、第一サポートパッドの上にさらに第二サポートパッドが積み重なるように配置されることとなるため、仰臥する乳幼児の腰部の背面側から前面側に亘って第一および第二サポートパッドによって保持することができる。したがって、より確実に乳幼児を適正な姿勢に保持することができる。
【００１１】
好ましくは、左右一対の第二サポートパッドの間の間隔が、左右一対の第一サポートパッドの間の間隔と略同じ、またはそれよりも小さくなるように、第二サポートパッドが配置される。この構成によれば、フラップ部を座部に重ねてその上に乳幼児を寝かせた場合に、乳幼児の腰部両側と第一サポートパッドとの間に、第二サポートパッドが入り込むこととなる。これにより、第一サポートパッドに支えられた第二サポートパッドが、仰臥する乳幼児の腰部の背面側から前面側に亘ってより隙間なく確実に乳幼児と当接することになるため、さらに安定して乳幼児を適正な姿勢に保持することができる。
【００１２】
好ましくは、左右一対の第二サポートパッドは、フラップ部の上方側から下方側に向かうにつれてその間の間隔が大きくなるように略ハの字状に配置されている。さらに好ましくは、左右一対の第一サポートパッドは、座部の上方側から下方側に向かうにつれてその間の間隔が大きくなるように略ハの字状に配置されている。この構成によれば、フラップ部を座部に重ねてその上に乳幼児を寝かせて用いた場合、第一および第二サポートパッドが、乳幼児の腰部上方から下方に亘り、仰臥する乳幼児の自然な姿勢に沿うように配置されることとなる。これにより、乳幼児が両脚を動かしても腰や脚を圧迫することがないため、サポートパッドにより適正な姿勢を保持しつつも、乳幼児の足の自由な運動を許容することができる。したがって、適正な姿勢を保持するとともに、乳幼児の快適性を向上させることができる。
【００１３】
なお、座部およびフラップ部には、左右方向に延在する股ベルト孔が、それぞれ設けられており、座部およびフラップ部に設けられた股ベルト孔は、フラップ部が座部と重なるように配置された場合に、互いに略重なるように配置されていてもよい。また、背部およびフラップ部には、上下方向に延在する腰ベルト孔が、左右一対となるようにそれぞれ設けられており、背部およびフラップ部に設けられた左右一対の腰ベルト孔は、フラップ部が背部と重なるように配置された場合に、互いに略重なるように配置されていてもよい。この構成によれば、本発明に係る座席マットを、育児器具の座席に備えられた股ベルトおよび腰ベルトを利用して容易に取り付けることが可能となる。
【発明の効果】
【００１４】
本発明によれば、ベッド状態の育児器具に適用する場合、フラップ部を座部と重ねるように配置させて用いることにより、上記第一および第二サポートパッドによって、仰臥する乳幼児の腰部を左右から保持することができる。これにより、乳幼児が寝返りを打つなどして腰部が屈曲し、呼吸が妨げられてしまうことを防ぐことができる。また、椅子状態の育児器具に適用する場合、フラップ部を背部と重ねるように配置させて用いることにより、第一サポートパッドによって着座する乳幼児の臀部を保持することができ、且つ、第二サポートパッドによって、着座する乳幼児の腰部を保持することができる。すなわち、本発明に係る座席マットは、育児器具をベッド状態にして用いることが多い年齢の小さな乳児から、育児器具を椅子状態にして用いることが多くなる幼児まで一貫して使用することができ、且つ、いずれの使用形態においても乳幼児の姿勢を適正に保持することが可能である。
【図面の簡単な説明】
【００１５】
【図１】本発明の一実施形態に係る座席マットを左側から見た斜視図である。
【図２】図１に示す座席マットにおいて、フラップ部を座部に重ねた状態を示す正面図である。
【図３】図１に示す座席マットにおいて、フラップ部を背部に重ねた状態を示す正面図である。
【図４】図２に示す座席マットを、図２中の矢印IVの方向から見た外観図である。
【図５】図４に示す座席マット上に、乳幼児が仰臥した状態を示す外観図である。
【図６】図５に示す座席マットを、図５中の矢印VIの方向から見た正面図である。
【図７】図３に示す座席マットを椅子状態の育児器具に適用し、その上に乳幼児が着座した状態を左側から見た斜視図を示す。
【発明を実施するための形態】
【００１６】
以下、本発明の実施の形態を図面に基づき詳細に説明する。まず、図１〜図３を用いて、本発明の一実施形態に係る座席マット１１の構成について説明する。図１は、本発明の一実施形態に係る座席マット１１を左側から見た斜視図である。図２は、図１に示す座席マット１１において、フラップ部１４を座部１２に重ねた状態を示す正面図である。図３は、図１に示す座席マット１１において、フラップ部１４を背部１３に重ねた状態を示す正面図である。なお、以下の説明における前後、左右、上下方向は、乳幼児から見た方向を基準とする。すなわち、説明中の前方向とは、図２における紙面表方向を示し、説明中の左方向とは、図２における紙面右方向を示す。
【００１７】
図１〜図３を参照して、本発明の一実施形態に係る座席マット１１は、下方に位置する座部１２と、座部１２の上端縁に連結され上方へ向けて延在する背部１３と、座部１２および背部１３の境界部分１８に連結されたフラップ部１４とを備える。座部１２は、柔らかい生地の布材料から構成された座部シート１５と、座部シート１５の上端部両側において左右一対となるように設けられた第一サポートパッド１６、１７とを有する。座部シート１５の左上端部に設けられている第一サポートパッド１６と、座部シート１５の右上端部に設けられている第一サポートパッド１７とは、ともに座部シート１５の前面から前方側へ向けて盛り上がるように設けられた柔軟なクッション材によって構成されており、座席マット１１の中心を基準として互いに略対称となるように配置されている。ここで、第一サポートパッド１６と、第一サポートパッド１７とは、上下に長手方向を有する略楕円形であって、座部１２の上方側から下方側に向かうにつれて互いの間隔が大きくなるように略ハの字状に配置されている。この構成については、後述する。
【００１８】
背部１３は、座部１２の上端縁から上方へと延在する布製のシート部材であり、座部１２と同様に、柔らかい生地の布材料から構成されている。座部１２と背部１３とは、境界部分１８において互いに連なっており、背部１３は、境界部分１８を基準線として座部１２に対して折れ曲がり易い構成となっている。
【００１９】
フラップ部１４は、上下左右方向に延在し、且つ左右に長手方向を有する布製シートであるフラップ部シート１９と、フラップ部シート１９の両側部において左右一対となるように設けられた第二サポートパッド２０、２１とを有する。フラップ部シート１９の上端縁は、座部１２と背部１３との境界部分１８に縫着されており、下端縁は自由端となっている。すなわち、フラップ部１４は、境界部分１８を基準線として上下方向に回動自在に座部１２および背部１３に連結されている。したがって、図２に示すように、フラップ部１４の下端縁が最下方に移動している状態、すなわちフラップ部１４と座部１２とが互いに対向するように重なり合っている状態から、フラップ部１４の下端縁を最上方へと移動させると、フラップ部１４が境界部分１８を基準線として上方向に回動し、図３に示すようにフラップ部１４が背部１３と対向するように重なり合う状態となる。
【００２０】
第二サポートパッド２０、２１は、フラップ部シート１９の左右両側部の上下に亘って延在するように設けられている。第二サポートパッド２０、２１は、ともにフラップ部シート１９の上面から前方側に盛り上がるように設けられた柔軟なクッション材によって構成されており、座席マット１１の中心を基準として互いに略対称となるように配置されている。ここで、第二サポートパッド２０と、第二サポートパッド２１とは、上下に長手方向を有する略楕円形であって、フラップ部シート１９の上方側から下方側に向かうにつれて互いの間隔が大きくなるように略ハの字状に配置されている。この構成については、後述する。
【００２１】
なお、座部シート１５、背部１３、およびフラップ部シート１９を構成する布製シートは、吸湿性および速乾性を有する繊維材料によって構成されることが好ましい。これにより、本実施形態に係る座席マット１１を、乳幼児の汗を吸収するための「汗とりマット」として機能させることも可能となる。また、座部１２、背部１３、およびフラップ部１４の表面の生地には、肌触りの滑らかな素材を用いることが好ましい。
【００２２】
次に、図２および図３を用いて、本実施形態に係る座席マット１１を育児器具に取り付ける方法について説明する。図２および図３を参照して、本実施形態に係る座席マット１１は、育児器具に備えられた拘束ベルトを利用して育児器具の座席に取り付けられる構成となっている。育児器具の拘束ベルトは、一般的に、乳幼児の両肩に張り渡される肩ベルトと、乳幼児の腰に左右から張り渡される腰ベルトと、乳幼児の股部に張り渡される股ベルトとから構成される。したがって、座部１２、背部１３、およびフラップ部１４には、座席マット１１を育児器具の座席に取り付けるために、これらのベルトを挿通させる貫通孔が、それぞれ設けられている。
【００２３】
座部１２には、その中央部において左右方向に延在する股ベルト孔２２が、設けられている。背部１３には、その左側において上下方向に所定の間隔で配列する左肩ベルト孔２３と、その右側において上下方向に所定の間隔で配列する右肩ベルト孔２４とが、互いに左右一対となるように設けられている。また、左右肩ベルト孔２３、２４の下方側には、上下方向に延在する左右一対の腰ベルト孔２５、２６が、設けられている。フラップ部１４には、その中央部において上下方向に延在する左右一対の腰ベルト孔２７、２８と、腰ベルト孔２７、２８の下方側において左右方向に延在する股ベルト孔２９とが、それぞれ設けられている。ここで、図２に示すようにフラップ部１４を座部１２に重ねたときに、フラップ部１４に設けられた股ベルト孔２９と、座部１２に設けられた股ベルト孔２２とが、互いに略重なるように設けられている。また、図３に示すようにフラップ部１４を背部１３に重ねたときに、フラップ部１４に設けられた左右一対の腰ベルト孔２７、２８と、背部１３に設けられた左右一対の腰ベルト孔２５、２６とが、互いに略重なるように設けられている。
【００２４】
ベッド状態とした育児器具の座席に座席マット１１を取り付ける場合は、図２に示すようにフラップ部１４を座部１２に重ね合わせ、育児器具の股ベルトを、互いに重なるように配置されている股ベルト孔２２、２９に挿通させる。そして、乳幼児を拘束するのに適した位置に設けられた一対の左右肩ベルト孔２３、２４を選択し、育児器具に備えられた左右の肩ベルトをそれぞれ挿通させる。このように、拘束ベルトを利用して座席マット１１を育児器具に固定する。
【００２５】
椅子状態とした育児器具の座席に座席マット１１を取り付ける場合は、図３に示すようにフラップ部１４を背部１３に重ね合わせ、育児器具の左側腰ベルトを、互いに重なるように配置されている左側の腰ベルト孔２５、２７に挿通させる。同様に、右側腰ベルトを、互いに重なるように配置された右側の腰ベルト孔２６、２８に挿通させる。そして、乳幼児を拘束するのに適した位置に設けられた一対の左右肩ベルト孔２３、２４を選択し、育児器具に備えられた左右の肩ベルトをそれぞれ挿通させる。このように、拘束ベルトを利用して座席マット１１を育児器具に固定する。
【００２６】
次に、図４〜図６を用いて、図２に示す座席マット１１を、ベッド状態とした育児器具に適用し、比較的に年齢の小さな乳幼児をその上に寝かせて用いた場合について説明する。図４は、図２に示す座席マット１１を、図２中の矢印IVの方向から見た外観図である。図５は、図４に示す座席マット１１上に、乳幼児Ａが仰臥した状態を示す外観図であり、図４に対応する図である。図６は、図５に示す状態の座席マット１１を、図５中の矢印VIの方向から見た正面図である。
【００２７】
図４〜図６を参照して、座席マット１１をベッド状態とした育児器具（図示せず）に適用し、比較的に年齢の小さな乳幼児Ａをその上に寝かせて用いる場合には、フラップ部１４を座部１２と重ねるように配置させて用いる。ここで、本実施形態に係る座席マット１１においては、フラップ部１４を座部１２に重ねると、フラップ部１４に設けられた左右の第二サポートパッド２０、２１が、座部１２に設けられた第一サポートパッド１６、１７の上に重なるように配置され、且つ、左右の第二サポートパッド２０、２１の間の間隔ｄ２が、左右の第一サポートパッド１６、１７の間の間隔ｄ１よりも小さくなるように、第二サポートパッド２０、２１が配置されている。このように構成された座席マット１１上に乳幼児Ａが仰臥すると、図５に示す状態となる。
【００２８】
このとき、上記のように第一サポートパッド１６、１７および第二サポートパッド２０、２１が配置されていることにより、乳幼児Ａの腰部の左右両側と当接する第二サポートパッド２０、２１が、乳幼児Ａの腰部と第一サポートパッド１６、１７との間に引き込まれて入り込むこととなる。そうすると、第一サポートパッド１６、１７に支えられた第二サポートパッド２０、２１が、仰臥する乳幼児Ａの腰部の背面側から前面側に亘って隙間なく確実に乳幼児Ａと当接することになる。したがって、安定して乳幼児Ａを保持することができる。このようにして仰臥する乳幼児Ａの腰部を確実に保持することにより、寝ている乳幼児Ａの姿勢を適正に保持することができる。すなわち、乳幼児Ａが無理な姿勢をとったりすることで腰部や腹部が屈曲し、呼吸が妨げられることを効果的に防止することができる。
【００２９】
また、本実施形態においては、第一サポートパッド１６、１７および第二サポートパッド２０、２１は、ともに柔軟なクッション性を有する材料によって構成されている。したがって、乳幼児Ａは、二重に重ねられたクッション材によって腰部を支えられることになるため、乳幼児Ａの快適性を損なうこともない。さらに、姿勢保持のために上記サポートパッドにより乳幼児Ａの動きを拘束する箇所は、乳幼児Ａの腰部だけであり、乳幼児Ａの両腕や、両脚は自由に動くことが可能である。したがって、本実施形態に係る座席マット１１は、長時間の使用に際しても乳幼児Ａにストレスを与えることがない。
【００３０】
また、本実施形態においては、上記したように、第一サポートパッド１６と、第一サポートパッド１７とが、座部１２の上方側から下方側に向かうにつれて互いの間隔が大きくなるように略ハの字状に配置されている。同様に、第二サポートパッド２０と、第二サポートパッド２１とが、フラップ部シート１９の上方側から下方側に向かうにつれて互いの間隔が大きくなるように略ハの字状に配置されている。
【００３１】
この構成によれば、乳幼児Ａの快適性を損なうことなく適正な姿勢を保持することが可能となる。すなわち、乳幼児Ａは、仰向けに寝かされた場合、図６に示すように、両脚を折り曲げて左右の膝を外方側へ開くような姿勢を自然にとる。したがって、乳幼児Ａの腰部両側を保持する第一サポートパッド１６、１７および第二サポートパッド２０、２１を、上記のように略ハの字状に配置させることによって、仰臥する乳幼児Ａの自然な姿勢に沿うように腰部上方から下方に亘って配置させることができる。これにより、乳幼児Ａが両脚を自由に動かしても、腰や脚を圧迫することがないため、適正な姿勢を保持しつつも、乳幼児Ａの手足の自由な運動を許容することができる。したがって、適正な姿勢を保持するとともに、乳幼児Ａの快適性を向上させることができる。
【００３２】
なお、座席マット１１をベッド状態とした育児器具に適用する場合には、図６に示すように、乳幼児Ａの頭部を下方から支える枕部３０をさらに取り付けてもよい。この枕部３０は、柔軟な布製シートからなる枕部シート３１と、枕部シート３１の上面から上方に盛り上がるように設けられ、乳幼児Ａの左右の側頭部から頸椎に亘って当接するように略Ｕ字状に連なる枕部サポートパッド３２とから構成されている。この枕部３１によって、仰臥する乳幼児Ａの頭部が保持され、所定の位置に位置決めされる。これにより、頭部が左右に移動して乳幼児Ａの首が無理に屈曲してしまうことを防ぐことができる。
【００３３】
次に、図３および図７を用いて、図３に示す座席マット１１を、椅子状態とした育児器具に適用し、比較的に大きくなった乳幼児をその上に着座させて用いた場合について説明する。図７は、図３に示す座席マット１１上に、乳幼児Ｂが着座した状態を左側から見た斜視図を示す。
【００３４】
図３および図７を参照して、座席マット１１を椅子状態とした育児器具（図示せず）に適用する場合は、フラップ部１４を背部１３と重ねるように配置させて用いる。そして、座席マット１１を上記した方法により育児器具に取り付け、その上に乳幼児Ｂを着座させる。そうすると、第一サポートパッド１６、１７が、着座する乳幼児Ｂの臀部両側と当接し、乳幼児Ｂの臀部を左右から保持する。また、第二サポートパッド２０、２１が、着座する乳幼児Ｂの腰部両側と当接し、乳幼児Ｂの腰部を左右から保持する。これにより、乳幼児Ｂの着座姿勢を適切に保持し、乳幼児Ｂの骨盤を安定させることができる。また、上記のように、第一サポートパッド１６、１７および第二サポートパッド２０、２１は、ともに柔軟なクッション性を有する材料によって構成されており、且つ乳幼児Ｂの腰部および臀部のみを保持している。したがって、乳幼児Ｂは、サポートパッドに阻害されることなく、手足を自由に運動させることができるため、乳幼児Ｂの快適性を損なうこともない。
【００３５】
このように、本実施形態に係る座席マット１１は、ベッド状態の育児器具に適用する場合は、フラップ部１４を座部１２と重ねて用いることにより、第一サポートパッド１６、１７および第二サポートパッド２０、２１によって、仰臥する乳幼児の腰部を左右から安定して保持することができる。したがって、乳幼児の腹部や腰部が屈曲して呼吸が妨げられてしまうことを防ぐことができる。また、椅子状態の育児器具に適用する場合は、フラップ部１４を背部１３と重ねて用いることにより、第一サポートパッド１６、１７によって着座する乳幼児の臀部を保持するとともに、第二サポートパッド２０、２１によって着座する乳幼児の腰部を保持することができる。すなわち、本実施形態に係る座席マット１１は、上記の構成を備えることから、育児器具をベッド状態にして用いることが多い小さな乳児から、育児器具を椅子状態にして用いることが多くなる幼児まで一貫して使用することができ、且つ、いずれの使用形態においても乳幼児の姿勢を適正に保持することが可能である。
【００３６】
なお、本実施形態においては、フラップ部１４が、座部１２および背部１３の境界部分１８に連結されている場合について述べたが、上記した本発明の機能を妨げない範囲内であれば、境界部分１８の上方または下方に離隔した位置に連結されていてもよい。また、フラップ部１４は、着脱可能に連結されていてもよい。
【００３７】
また、本実施形態においては、第一および第二サポートパッド１６、１７、２０、２１は、左右に離隔する一対のクッション材によって構成された場合について述べたが、これに限らず、第一または第二サポートパッドは、左右に連なって延在する一体形状のクッション材によって構成されてもよい。例えば第一または第二サポートパッドが、左右に連なって延在し、その中央部の厚みが薄く、且つ左右両側部において前方側へ盛り上がるように設けられた一体形状のクッション材によって構成されてもよい。
【００３８】
また、本実施形態においては、フラップ部１４が座部１２と重なるように配置された場合に、左右の第二サポートパッド２０、２１が左右の第一サポートパッド１６、１７の上に重なるように配置される場合について述べたが、これに限らず、第二サポートパッド２０、２１が第一サポートパッド１６、１７の内方側に入り込み、第一サポートパッド１６と第二サポートパッド２０、および第一サポートパッド１７と第二サポートパッド２１が、左右方向に隣接して配列する構成であってもよい。
【００３９】
また、本実施形態においては、左右の第二サポートパッド２０、２１の間の間隔ｄ２が、左右の第一サポートパッド１６、１７の間の間隔ｄ１よりも小さくなるように配置された場合について述べたが、これに限らず、間隔ｄ１と間隔ｄ２とが略同じとなるように配置されてもよい。この場合においても、図５に示すように座席マット１１上に乳幼児が仰臥すると、第二サポートパッド２０、２１は、乳幼児の腰部と第一サポートパッド１６、１７との間に引き込まれて入り込むことになるからである。
【００４０】
また、本実施形態においては、左右の第一サポートパッド１６、１７および左右の第二サポートパッド２０、２１が、ともに上方側から下方側に向かうにつれてその間の間隔が大きくなるように略ハの字状に配置されている場合について述べたが、これに限らず、第一サポートパッドまたは第二サポートパッドのいずれか一方のみが略ハの字状に配置されていてもよいし、双方いずれも左右略平行となるように配置されていてもよい。
【００４１】
また、本実施形態においては、座席マット１１が、育児器具に備えられた拘束ベルトを利用して育児器具の座席に取り付けられる構成である場合について述べたが、これに限らず、例えば面ファスナのような連結部材を用いて育児器具の座席に取り付けられる構成であってもよい。また、座部１２の表面、背部１３の表面、およびフラップ部１４の表裏面にそれぞれ面ファスナを取り付け、フラップ部１４を座部１２もしくは背部１３に重ね合わせたときに、これらの面ファスナを連結させることによって、それぞれの状態を維持する構成としてもよい。
【００４２】
以上、図面を参照して本発明の実施の形態を説明したが、本発明は、図示した実施の形態のものに限定されない。図示した実施の形態に対して、本発明と同一の範囲内において、あるいは均等の範囲内において、種々の修正や変形を加えることが可能である。
【産業上の利用可能性】
【００４３】
本発明は、小さな乳児から幼児まで一貫して適用可能であり、乳幼児の姿勢を適正に保持することができる座席マットを提供するものであることから、座席構造を備える育児器具全般に有利に利用される。
【符号の説明】
【００４４】
１１  座席マット、１２  座部、１３  背部、１４  フラップ部、１５  座部シート、１６，１７  第一サポートパッド、１８  境界部分、１９  フラップ部シート、２０，２１  第二サポートパッド、２２，２９  股ベルト孔、２３  左肩ベルト孔、２４  右肩ベルト孔、２５，２６，２７，２８  腰ベルト孔、３０  枕部、３１  枕部シート、３２  枕部サポートパッド。
【図１】
0005514655.tif 000002
【図２】
0005514655.tif 000003
【図３】
0005514655.tif 000004
【図４】
0005514655.tif 000005
【図５】
0005514655.tif 000006
【図６】
0005514655.tif 000007
【図７】
0005514655.tif 000008